(57)【要約】【課題】効果的に壁体を破砕することのできる壁破砕機を提供すること。【解決手段】間隔を隔てて並設した左右２枚の板状体でガイドフレームを構成すると共に、同ガイドフレームの一端に受刃を設け、他端にシリンダを連設し、シリンダロッドの先端に受刃内面を摺動しながら裁断機能を果たす裁断刃を進退自在に設け、同裁断刃の上面には、前記ガイドフレームの両板状体間を挿通するガイド杆を立設し、同ガイド杆の上端部に前記ガイドフレームに沿って摺動自在のコロを軸支してなる壁破砕機において、前記受刃は左右に配した左右受板刃で構成すると共に、前記裁断刃は左右に配した左右裁断板刃で構成し、左右裁断板刃の中央空間部に山形刃を介設することにした。【選択図】    図２
2004183438.tif 000002
【特許請求の範囲】
【請求項１】
間隔を隔てて並設した左右２枚の板状体でガイドフレームを構成すると共に、同ガイドフレームの一端に受刃を設け、他端にシリンダを連設し、シリンダロッドの先端に受刃内面を摺動しながら裁断機能を果たす裁断刃を進退自在に設け、同裁断刃の上面には、前記ガイドフレームの両板状体間を挿通するガイド杆を立設し、同ガイド杆の上端部に前記ガイドフレームに沿って摺動自在のコロを軸支してなる壁破砕機において、
前記受刃は左右に配した左右受板刃で構成すると共に、前記裁断刃は左右に配した左右裁断板刃で構成し、左右裁断板刃の中央空間部に山形刃を介設したことを特徴とする壁破砕機。
【発明の詳細な説明】
【０００１】
【発明の属する技術分野】
本発明は、壁破砕機に関するものである。
【０００２】
【従来の技術】
従来、油圧、空気圧等を利用して裁断刃を進退作動させ、受刃との間に狭持した壁体を裁断破砕する壁破砕機は、水平方向に伸延するフレームの一端側に受刃を固定配設すると共に、他端側に裁断刃を進退自在に配設し、裁断刃を受刃方向に前進させていくことによって両刃間の壁体を裁断破砕する構成となっていた。
【０００３】
かかる壁破砕機は、裁断刃を受刃方向に前進させて壁体を狭圧するものであるが、この際に、裁断刃には下方への応力が働き、その反力として受刃と裁断刃との間に橋架された状態のフレームが反り気味になってしまうので、フレームに過度の負荷がかかると共に、受刃に対する裁断刃の押圧応力が減殺されて、壁体に対して十分な狭圧力をかけることができないという欠点があった。
【０００４】
そこで、実公平２−３２７５８号公報に開示されているように、間隔を隔てて並設した左右２枚の板状体でフレームを構成すると共に、裁断刃の上面に前記フレームの両板状体間を挿通するガイド杆を立設し、同ガイド杆の上端部に前記フレームに沿って摺動自在なコロを軸支することにより、フレームを裁断刃とコロとで上下から挟んで、裁断刃に対する下方への応力によってフレームが反ることを防止可能とした壁破砕機が提案されている（特許文献１参照。）。
【０００５】
特に、上記実公平２−３２７５８号公報に開示された壁破砕機においては、裁断刃の先端を左右の板刃で構成し、裁断刃の集中応力を高めて、壁体に集中的に押圧力がかかるようにして受刃の左右の板刃との摺動によって壁体の破砕裁断を行うようにしている。
【０００６】
【特許文献１】
実公平２−３２７５８号公報
【０００７】
【発明が解決しようとする課題】
しかし、上記した壁破砕機においては、ガイド杆を介して連設した裁断刃とコロとでフレームを挟む構成によってフレームの反りは防止できるものの、裁断刃先端の左右の板刃が壁体へ食い込み壁体を破砕し裁断する時に、破砕された壁組成物が裁断刃先端の左右の板刃間に充填された状態となり、裁断刃の集中応力が低下し壁体に集中的に押圧力がかからないようになり、結果的には裁断刃が壁体へ食い込みにくくなり破砕効率を低下させることになっていた。
【０００８】
【課題を解決するための手段】
そこで、本発明は、間隔を隔てて並設した左右２枚の板状体でガイドフレームを構成すると共に、同ガイドフレームの一端に受刃を設け、他端にシリンダを連設し、シリンダロッドの先端に受刃内面を摺動しながら裁断機能を果たす裁断刃を進退自在に設け、同裁断刃の上面には、前記ガイドフレームの両板状体間を挿通するガイド杆を立設し、同ガイド杆の上端部に前記ガイドフレームに沿って摺動自在のコロを軸支してなる壁破砕機において、前記受刃は左右に配した左右受板刃で構成すると共に、前記裁断刃は左右に配した左右裁断板刃で構成し、左右裁断板刃の中央空間部に山形刃を介設したことを特徴とする壁破砕機を提供せんとするものである。
【０００９】
【発明の実施の形態】
本発明は、受刃と、受刃に向かって進退自在な裁断刃との間で壁体を狭圧し、両刃の鋏機能と押圧破砕機能とによって壁体を切削・圧潰する壁破砕機である。そのため、本壁破砕機においては、間隔を隔てて並設した左右２枚の板状体によりガイドフレームを構成し、同ガイドフレームの一端に受刃を設けると共に、他端にシリンダを連設し、同シリンダのシリンダロッドの先端に裁断刃を設けており、シリンダによって裁断刃を受刃に向かって押し出して、裁断刃を受刃内面に沿って摺動させるようにしている。従って、壁体の破砕時には、両刃が前述した鋏機能と押圧破砕機能とを果たし、両刃間の壁体を切削すると共に圧潰して、壁体を破砕する。
【００１０】
しかも、裁断刃の上面には、前記ガイドフレームの両板状体間を挿通するガイド杆を立設し、さらに、同ガイド杆の上端部には、前記ガイドフレームに沿って摺動自在なコロを軸支しているため、裁断刃がシリンダによって進退する際には、同裁断刃の動きと連動してコロがガイドフレーム上を摺動する。
【００１１】
そのため、ガイドフレームは、ガイド杆を介して上下に連設した裁断刃とコロとによって常に上下側から挟まれることとなり、裁断刃の前進作動によってガイドフレームに上方湾曲方向への応力がかかり、ガイドフレームがシリンダロッドとは反対方向へ反りそうになっても、ガイドフレームを裁断刃とコロとによって上下側から狭圧して、その反りを矯正することができる。
【００１２】
さらには、本実施の形態では、上記したような壁破砕機において、受刃を左右に配した左右受板刃で構成すると共に、裁断刃を左右に配した左右裁断板刃で構成し、左右裁断板刃の中央空間部に、受刃に向かって先端を突出させたくさび状の山形刃を介設している。
【００１３】
従って、壁体を破砕するに際しては、裁断刃による壁体への押圧食込みと共に、左右受板刃と左右裁断板刃との摺動よる鋏機能によって壁体を切削するものであるが、それと共に裁断刃が壁体に押圧されて食込む際に左右裁断板刃間に残留した壁体部分を先端の尖った山形刃の押圧破砕機能によって圧潰し、このように切削、圧潰されて粉砕された壁体組成物は山形刃の上下の傾斜面に沿って刃の外部に排出され左右受板刃や左右裁断板刃内に溜まらず壁体の破砕を効率よく速やかに行うことができるものである。
【００１４】
【実施例】
以下、本発明に係る壁破砕機の一実施例を図面に基づき説明する。
【００１５】
図１は本発明にかかる壁破砕機の一実施例の斜視図であり、図示するように、本実施例における壁破砕機Ａは、壁体を切削・圧潰するための受刃１及び裁断刃２と、受刃１に向かって裁断刃２を進退させるシリンダ３と、前記受刃１、裁断刃２、及びシリンダ３を支持するガイドフレーム４とからなる。
【００１６】
ガイドフレーム４は、前後方向に伸延する左右２枚の板状体５，５を間隔を隔てて起立状態に並設した構成としており、先端下部に受刃１を垂設する一方、後端下部にシリンダ３を垂設している。
【００１７】
特に、シリンダ３は、前後方向に伸延するシリンダ本体６の先端部をガイドフレーム４の後端下部に取り付けて、シリンダロッド７が前記ガイドフレーム４の下方を進退運動するようにしており、このシリンダロッド７の先端に裁断刃２を連設することによって、同裁断刃２を、ガイドフレーム４の先端下部に垂設した受刃１に向かって自在に進退できるようにしている。
【００１８】
しかも、裁断刃２の上面には、前記ガイドフレーム４の両板状体５，５間を挿通するガイド杆８を立設しており、同ガイド杆８の上端部に、前記ガイドフレーム４の上面に沿って摺動自在なコロ９を軸支している。従って、ガイドフレーム４にはシリンダ３が連設し、同シリンダ３には裁断刃２が連設し、同裁断刃２にはガイド杆８が連設し、同ガイド杆８にはコロ９が連設することとなり、しかも、同コロ９は前記裁断刃２と共働してガイドフレーム４を両側から狭持することとなる。そのため、壁体の破砕時に、裁断刃２を支持するシリンダロッド７に対して下方への狭圧応力が働き、その反力を受けたガイドフレーム４が上方に反りそうになったとしても、同ガイドフレーム４の上面に当接するコロ９によりガイドフレーム４を下方へ押さえて、ガイドフレーム４が上方に反らないようにすることができる。図中、１０は把持棒、１１はコロ９の枢軸、１２はシリンダ３とガイドフレーム４との連結を補強する補強用リブである。
【００１９】
上記構成よりなる壁破砕機Ａにおいて本発明の特徴となるのは、受刃１と対になって壁体を挟み、同壁体を切削・圧潰する裁断刃２の形状である。そこで、受刃１及び裁断刃２の構成を以下に説明する。
【００２０】
図２は、本発明に係る壁破砕機Ａの受刃１及び裁断刃２の構成を示す模式図であり、図示するように、受刃１は、略矩形板状に形成した左右受板刃１３，１３を起立状態に並設すると共に、同左右受板刃１３，１３の上端間を、同じく略矩形板状に形成した上部連結体１４で連結して、正面視略門状に形成している。
【００２１】
一方、裁断刃２は、略矩形板状に形成した左右裁断板刃１５，１５を起立状態に並設すると共に、同左右裁断板刃１５，１５の後端間を、同じく略矩形板状に形成した後部連結体１６で連結して、平面視略門状に形成している。そして、シリンダ３によって受刃１の方向へと押し出された際には、左右裁断板刃１５，１５の外側面が左右受板刃１３，１３の内側面に沿って摺動して、受刃１の左右受板刃１３，１３間に挿入されるようにしている。
【００２２】
しかも、左右裁断板刃１５，１５間に形成される中央空間部Ｓには、受刃１に向かって先端を突出させた側面視くさび状の山形刃１７を介設しており、山形刃１７の上下面は先端に向かって一定勾配の傾斜状に形成されている。特に、同山形刃１７の先端は前記左右裁断板刃１５，１５の先端縁よりも後方に位置するように形成している。このように、山形刃１７の先端を左右裁断板刃１５，１５の先端よりも後方に位置させているので、壁体を破砕する際には、山形刃１７よりも先に左右裁断板刃１５，１５が壁体と当接することとなり、しかも山形刃１７の上下面は傾斜状に形成されているため破砕された壁体の粉砕粉や破砕屑は山形刃１７の傾斜面に沿って刃外部に排出されるので刃内部に残留されず円滑な破砕作業が遂行できる効果がある。
【００２３】
また、山形刃１７は、左右裁断板刃１５，１５及び後部連結体１６とは別体に形成して、その後、左右裁断板刃１５，１５間に挿入固定するようにしており、同山形刃１７を固定するに際しては、山形刃１７の上下傾斜面の中途部に後部連結体１６に向かって陥入する連結具取付凹部１８をそれぞれ形成し、同連結具取付凹部１８にビスやボルト等の連結具１９を挿入して、前記後部連結体１６に固定するようにしている。
【００２４】
従って、連結具１９は前記連結具取付凹部１８の内部に納まることとなり、山形刃１７の上下傾斜面から突出することがない。そのため、壁体の破砕時に、連結具１９が直に壁体と衝突して破損するのを防止することができ、かかる連結具１９の破損によって山形刃１７の取付が緩むのを防止することができる。
【００２５】
受刃１及び裁断刃２は上記構成よりなり、かかる受刃１及び裁断刃２を用いた本壁破砕機Ａによって壁体を破砕する際には、受刃１と裁断刃２との間に挟まれた壁体は、まず、裁断刃２が受刃１方向へと進出するのに伴って左右裁断板刃１５，１５の前端面と当接し、左受板刃１３と左裁断板刃１５、及び右受板刃１３と右裁断板刃１５による鋏機能によってその当接面を切削される。そして、切削されることなく左右裁断板刃１５，１５間に残留した壁体部分は、次に、左右裁断板刃１５，１５間に介設されている先端の尖った山形刃１７へと到達して、同山形刃１７の押圧破砕機能により圧潰される。このとき、山形刃１７によって圧潰される壁体は、左右裁断板刃１５，１５によって予め所定間隔、すなわち、左裁断板刃１５と右裁断板刃１５との間隔に切り出されているので、容易に圧潰することができる。
【００２６】
このように、本壁破砕機Ａにおいては、受刃１と裁断刃２の鋏機能及び押圧破砕機能を利用して壁体を破砕するので、効果的に壁体を破砕することができる。しかも、左右裁断板刃１５，１５を同左右裁断板刃１５，１５間に介設した山形刃１７よりも先方に突出させているので、壁体を破砕するに際しては、山形刃１７よりも先に左右裁断板刃１５，１５が壁体に当接して壁体を所定間隔に切り出し、所定間隔に切り出されて破砕しやすくなった壁体を先端の尖った山形刃１７が圧潰することになるので、破砕の効率を向上させることができると共に、先端が尖っていて摩耗しやすい山形刃１７への負担を軽減することができる。
【００２７】
さらに、山形刃１７は、前述したように側面視くさび状に形成していて、平面視くさび状に形成した場合と比較すると、左右裁断板刃１５，１５となす角度（山形刃１７の上下斜面が左右裁断板刃１５，１５の内側面となす角度）が略直角なので、破砕された壁体が山形刃１７と左右裁断板刃１５，１５との間に詰まりにくい。
【００２８】
しかも、山形刃１７の上下面は傾斜状に形成されているため破砕された壁体の粉砕粉や破砕屑は山形刃１７の傾斜面に沿って刃外部に排出されるので刃内部に残留されず円滑な破砕作業が遂行でき、壁破砕機Ａの押圧破砕機能を低下させることなく破砕作業を継続することができる。
【００２９】
【発明の効果】
本発明によれば、受刃を左右に配した左右受板刃で構成すると共に、裁断刃を左右に配した左右裁断板刃で構成し、同左右裁断板刃の中央空間部に山形刃を介設することにしたので、壁体を破砕する際に、左受板刃と左裁断板刃、及び右受板刃と右裁断板刃による鋏機能によって壁体を切削することができると共に、山形刃の上下面は傾斜状に形成されているため左右裁断板刃間に残留した壁体部分を先端の尖った山形刃の押圧破砕機能で圧潰することができ、さらには破砕された壁体の粉砕粉や破砕屑は山形刃の傾斜面に沿って刃外部に排出されるので刃内部に残留されず円滑な破砕作業が遂行でき、壁破砕機Ａの押圧破砕機能を低下させることなく破砕作業を継続することができる効果がある。
【図面の簡単な説明】
【図１】本発明に係る壁破砕機の一実施例の斜視図である。
【図２】本発明に係る壁破砕機の受刃及び裁断刃の構成を示す模式図である。
【符号の説明】
Ａ  壁破砕機
Ｓ  中央空間部
１  受刃
２  裁断刃
３  シリンダ
４  ガイドフレーム
５  板状体
７  シリンダロッド
８  ガイド杆
９  コロ
１３，１３    左右受板刃
１５，１５    左右裁断板刃
１７  山形刃
【図１】
2004183438.tif 000003
【図２】
2004183438.tif 000004